(57)【要約】  飛翔害虫の誘引捕獲装置（１）は、筐体（３）と、筐体（３）内に収容された二酸化炭素発生装置（５）及び誘引剤と、筐体（３）に形成され、二酸化炭素発生装置（５）及び誘引剤の誘引成分を筐体（３）の外方に放出する第１開口部と、二酸化炭素発生装置（５）及び誘引剤に連通して第１開口部の近傍に形成された第２開口部（１４）と、第２開口部（１４）に隣接し、筐体（３）内に収容された吸引ファン装置により外気を吸気するファン吸気部（１３）と、吸引ファン装置により吸引された外気を筐体（３）外に排出する通気ネット（８３）を有する捕虫ボックス（８１）と、を備える。
2019221014.tif 000002
【特許請求の範囲】
【請求項１】
筐体と、
前記筐体内に収容された誘引源と、
前記筐体に形成され、前記誘引源に連通し、前記誘引源の誘引成分を前記筐体の外方に放出する第１開口部と、
前記誘引源に連通し、前記第１開口部の近傍に形成された第２開口部と、
前記第２開口部に隣接し、前記筐体内に収容された吸引ファン装置により外気を吸気するファン吸気部と、
前記吸引ファン装置により吸引された外気を前記筐体外に排出する排気口を有する捕虫部と、
を備えた飛翔害虫の誘引捕獲装置。
【請求項２】
請求項１に記載の飛翔害虫の誘引捕獲装置であって、
前記第１開口部が、前記筐体の上面部に形成され、前記第２開口部及び前記ファン吸気部が、前記筐体の側面部に形成された飛翔害虫の誘引捕獲装置。
【請求項３】
請求項１又は２に記載の飛翔害虫の誘引捕獲装置であって、
前記誘引源が、誘引剤及び二酸化炭素発生装置を有する飛翔害虫の誘引捕獲装置。
【発明の詳細な説明】
【技術分野】
【０００１】
本発明は、飛翔害虫の誘引捕獲装置に関する。
【背景技術】
【０００２】
従来、蚊やコバエ等の飛翔害虫を誘引捕獲するものとしていくつかの飛翔害虫の誘引捕獲装置が提案されている。
例えば、特許文献１には、飛翔害虫を揮発性誘引剤（誘引源）により装置の内部に誘引し、殺虫剤の効果により誘引した飛翔害虫を駆除する装置が開示されている。このような誘引捕獲装置に用いられる殺虫剤の殺虫成分は人体に害を与えることはないが、ペット、乳幼児、高齢者、病弱者等のいる空間に対して使用するときには、少なからず心理的に抵抗を感じることがないとはいえない。
そこで、特許文献２〜４に示すように、二酸化炭素や餌（誘引剤）などの誘引源によりケース（筐体）近傍に誘引した飛翔害虫をケース内に配置された吸引ファン装置により吸気口から吸引し、収集することで、殺虫成分を用いない飛翔害虫の誘引捕獲装置が提案されている。
【先行技術文献】
【特許文献】
【０００３】
【特許文献１】日本国特開２０１５−１８６４６１号公報
【特許文献２】日本国特開２０１５−６２４０１号公報
【特許文献３】日本国特開２０１５−１８１４３０号公報
【特許文献４】日本国特開２０１６−２０８９３５号公報
【発明の概要】
【発明が解決しようとする課題】
【０００４】
しかしながら、従来の吸引ファン装置を用いた誘引捕獲装置は、吸気口から吸引した外気を排気口から排気するため、誘引源の誘引成分が吸気口から吸引されて排気口から外気へ放出されてしまう。その結果、吸気口付近に誘引剤を留めることが難しく、ケース近傍に誘引した飛翔害虫を吸気口まで引き寄せることが困難であった。従って、従来の吸引ファン装置を用いた誘引捕獲装置は、捕獲効率を十分に高めることが困難であった。【０００５】
本発明は上記状況に鑑みてなされたもので、その目的は、飛翔害虫の捕獲効率を向上させることのできる飛翔害虫の誘引捕獲装置を提供することにある。
【課題を解決するための手段】
【０００６】
本発明に係る上記目的は、下記構成により達成される。
（１）  筐体と、前記筐体内に収容された誘引源と、前記筐体に形成され、前記誘引源に連通し、前記誘引源の誘引成分を前記筐体の外方に放出する第１開口部と、前記誘引源に連通し、前記第１開口部の近傍に形成された第２開口部と、前記第２開口部に隣接し、前記筐体内に収容された吸引ファン装置により外気を吸気するファン吸気部と、前記吸引ファン装置により吸引された外気を前記筐体外に排出する排気口を有する捕虫部と、を備えた飛翔害虫の誘引捕獲装置。【０００７】
上記（１）の構成の飛翔害虫の誘引捕獲装置によれば、ファン吸気部が第２開口部に隣接して形成されることで、ファン吸気部の吸引に伴って第２開口部から外気が流入する。第２開口部から流入した外気は、誘引源の周辺で滞留し、誘引源の誘引成分を第１開口部に押し出す。そこで、第１開口部から筐体の外方に放出された誘引成分は、第１開口部の近傍に滞留することができる。
そして、第１開口部の近傍に滞留する誘引成分は、一部が近傍に位置するファン吸気部に吸引され、一部が第２開口部に流入する。外気と共に吸引された誘引成分の一部は、吸引ファン装置の排気流によって捕虫部の排気口から排出されて筐体の外方に拡散する。
即ち、上記構成の飛翔害虫の誘引捕獲装置によれば、排気口から排出されて拡散した誘引成分によって、遠くにいる飛翔害虫が誘引捕獲装置に呼び寄せられる。そして、第１開口部の近傍に滞留させた高濃度の誘引成分によって、飛翔害虫はファン吸気部まで引き寄せられ、ファン吸気部に吸引される。そして、ファン吸気部に吸引された飛翔害虫は、捕虫部に捕獲される。従って、飛翔害虫を高効率で捕獲することができる。【０００８】
（２）  上記（１）に記載の飛翔害虫の誘引捕獲装置であって、前記第１開口部が、前記筐体の上面部に形成され、前記第２開口部及び前記ファン吸気部が、前記筐体の側面部に形成された飛翔害虫の誘引捕獲装置。【０００９】
上記（２）の構成の飛翔害虫の誘引捕獲装置によれば、筐体の上面部に形成された第１開口部から放出された誘引成分は、筐体の上面部に沿って流れて側面部に形成された第２開口部に流入することで、ファン吸気部付近に良好に滞留することができる。【００１０】
（３）  上記（１）又は（２）に記載の飛翔害虫の誘引捕獲装置であって、前記誘引源が、誘引剤及び二酸化炭素発生装置を有する飛翔害虫の誘引捕獲装置。【００１１】
上記（３）の構成の飛翔害虫の誘引捕獲装置によれば、例えば、糖分を含む誘引成分によって食欲を有するオスの蚊や吸血意欲が低いメスの蚊を誘引し、二酸化炭素によって吸血意欲が高いメスの蚊を誘引することで、より多くの蚊を確実に誘引することができる。【００１２】
（４）  上記（３）に記載の飛翔害虫の誘引捕獲装置であって、前記二酸化炭素発生装置が、有機ガスを発生する有機ガス供給部と、紫外線を照射する紫外線照射部と、前記紫外線を受光し、前記有機ガスを分解して炭酸ガスを発生させる光触媒部と、を有する飛翔害虫の誘引捕獲装置。
ここで、有機ガスとは、アルコール、アセトン、トルエン等の有機溶剤等、炭素を含む揮発性成分から発生するガスをいう。分解すると炭酸ガスと水蒸気になる。本願では揮発しやすく、炭酸ガスに分解しやすい低分子アルコールガスが好ましい。また、乳酸は蒸気圧が低いが、少量ではあるが揮発するので、有機ガスには乳酸ガスも含まれるものとする。
光触媒シートとしては、例えば、アナターゼ型酸化チタン光触媒を担持したチタン箔をシート状にしたものが用いられるが、アナターゼ型酸化チタン光触媒を担持したシート状のものでも良い。【００１３】
上記（４）の構成の飛翔害虫の誘引捕獲装置によれば、例えば、有機ガスを分解して炭酸ガスを発生させる効率が非常に高いアナターゼ型酸化チタン光触媒を使用することで、炭酸ガスを高効率で発生させることができ、蚊の捕集効率が高い誘引捕獲装置を提供できる。【００１４】
（５）  上記（１）〜（４）の何れか１つに記載の飛翔害虫の誘引捕獲装置であって、前記捕虫部が、前記吸引ファン装置により吸引された飛翔害虫を粘着する粘着シートを有する飛翔害虫の誘引捕獲装置。【００１５】
上記（５）の構成の飛翔害虫の誘引捕獲装置によれば、捕虫部に捕獲した飛翔害虫を粘着シートに粘着することで、飛翔害虫を効率的に確実に駆除することができる。
【発明の効果】
【００１６】
本発明に係る飛翔害虫の誘引捕獲装置によれば、飛翔害虫の捕獲効率を向上させた良好な誘引捕獲装置を提供できる。【００１７】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１８】
【図１】図１は、本発明の一実施形態に係る飛翔害虫の誘引捕獲装置の全体斜視図である。
【図２】図２は、図１に示した誘引捕獲装置の上部ユニットを外した状態の分解斜視図である。
【図３】図３は、図２に示した上部ユニットの分解斜視図である。
【図４】図４は、図１に示した誘引捕獲装置の中間部ユニットの分解斜視図である。
【図５】図５は、図４に示した中間部ユニットにおける吸引ダクトの底面側斜視図である。
【図６】図６は、図４に示した中間部ユニットにおける誘引剤ボックスの分解斜視図である。
【図７】図７は、図１に示した誘引捕獲装置の下部ユニットの分解斜視図である。
【図８】図８は、図１のＶＩＩＩ−ＶＩＩＩ線に沿う要部断面図である。
【図９】図９は、図１のＩＸ−ＩＸ線に沿う要部断面図である。
【発明を実施するための形態】
【００１９】
以下、本発明に係る実施形態を、図面を参照して説明する。
図１及び図２に示すように、本発明の一実施形態に係る飛翔害虫の誘引捕獲装置１（以下、単に誘引捕獲装置１とも云う）は、居室内の床面等に設置されて水平断面形状が略矩形の筐体３を有している。筐体３は、上部ユニット１０と、中間部ユニット３０と、下部ユニット７０とで構成されている。
【００２０】
［上部ユニット］
上部ユニット１０は、図２及び図３に示すように、略長方形状の上部カバー１１と、上部カバー１１の内面側に組み合わされて複数の流路を画成する隔壁部材２０と、これら上部カバー１１及び隔壁部材２０により画成された収容空間内に配置される誘引源としての二酸化炭素発生装置５と、を備える。
【００２１】
上部カバー１１における上面部１１ａの長手方向両端側（図３中、左右方向側）には、それぞれ一対の第１開口部１２が設けられている。本実施形態に係る第１開口部１２は、上部カバー１１に貫通形成された複数のスリットでそれぞれ構成されている。
【００２２】
隔壁部材２０における上面の長手方向両端部（図３中、左右方向端部）には、中央開口部２１を挟んで配置された一対の連通路２３が長手方向に沿って延設され、各連通路２３の両外側にはそれぞれ放出路２２が長手方向に沿って延設され、各放出路２２のさらに外側である隔壁部材２０の四隅には連通路２４が設けられている。
【００２３】
連通路２３は、隔壁部材２０の長手方向へ水平に延びる底面と、底面の両側部に垂設された一対の側面とを有しており、隔壁部材２０に上部カバー１１が組み合わされることで、連通路２３は長手方向両端部がそれぞれ開口した略直方体状の流路を画成する。連通路２３の長手方向外端部には、底面に垂設された複数の平行ルーバー２３ｂが設けられている。
一方、放出路２２は、隔壁部材２０の長手方向外端部に向かってそれぞれ上方へ傾斜する底面と、底面の両側部に垂設された一対の側面とを有しており、隔壁部材２０に上部カバー１１が組み合わされることで、放出路２２は長手方向外端部が第１開口部１２に連通すると共に長手方向内端部が開口した略くさび状の流路を画成する。
更に、連通路２４は、上部ユニット１０が中間部ユニット３０の上方に取付けられることで、隣接する一対の側面と底面とが開口した略直方体状の流路を画成する。
【００２４】
図３に示すように、本実施形態に係る第１開口部１２は、上部カバー１１に貫通形成された複数のスリットでそれぞれ構成されている。第１開口部１２は、後述する誘引源としての二酸化炭素発生装置５や誘引剤６が収容された収容空間７（図８参照）に連通して誘引成分を筐体３の外方に放出するために、隔壁部材２０の長手方向両端部（図３中、左右方向端部）にそれぞれ画成された複数の放出路２２にそれぞれ連通している。
【００２５】
また、上部カバー１１と隔壁部材２０とが組み合わされることで、第１開口部１２の近傍である上部ユニット１０の長手方向両端（図２中、左右方向端）には、二酸化炭素発生装置５や誘引剤６が収容された収容空間７に連通する第２開口部１４が構成される。
本実施形態に係る第２開口部１４は、隔壁部材２０の長手方向両端部（図３中、左右方向端部）にそれぞれ画成された連通路２３に連通している（図２，３参照）。連通路２３の長手方向外端部には、複数の平行ルーバー２３ｂが設けられており、第２開口部１４は、複数の平行ルーバー２３ｂ間の隙間により形成されている。
【００２６】
更に、上部ユニット１０が中間部ユニット３０の上方に取付けられることで、上部ユニット１０の四隅には、第２開口部１４に隣接して筐体３内に収容された吸引ファン装置４０により外気を吸気するファン吸気部１３が構成される。
本実施形態に係るファン吸気部１３は、吸引ファン装置４０に接続された吸引ダクト４１の吸引路４３に連通するため、隔壁部材２０の四隅に画成された連通路２４に連通している（図２，３参照）。なお、上部カバー１１の周縁部には、内面に垂設された複数のルーバー１１ｂが下方（図３中、下方）に向けて突設されている。そこで、ファン吸気部１３は、複数のルーバー１１ｂ間の隙間により形成されている。
【００２７】
二酸化炭素発生装置５は、図３に示すように、紫外線を受光し、後述する有機ガス供給部としての誘引剤６から発生した有機ガスを分解して炭酸ガスを発生させる光触媒部である光触媒シート１８と、光触媒シート１８に紫外線を照射する紫外線照射部１５と、矩形状の光触媒シート１８の周縁部を挟持して該光触媒シート１８の上方に設置された紫外線照射部１５との間を所定間隔に保持する支持枠体１７，１９と、を備える。
【００２８】
本実施形態の紫外線照射部１５は、基板上に所定間隔で配列された複数の紫外線ＬＥＤ１６を有する。紫外線照射部１５は、下方に配置された光触媒シート１８に紫外線ＬＥＤ１６が対向するようにして上部カバー１１の内面に固定される。
紫外線ＬＥＤ１６は、例えば、アナターゼ型酸化チタンのバンドギャップ３．２ｅＶに相当する３８８ｎｍ以下の波長の紫外線を照射する。
【００２９】
光触媒シート１８は、誘引剤６を収容した誘引剤カートリッジ６１と紫外線照射部１５の間に、上部カバー１１の内面に固定された支持枠体１７，１９に保持されて配設される。誘引剤６から揮発した有機ガスであるアルコールは、隔壁部材２０の中央開口部２１を介して光触媒シート１８に達する。
光触媒シート１８は、例えば、アナターゼ型酸化チタン光触媒を担持するシートである。アナターゼ型酸化チタンは波長３８８ｎｍ以下の紫外線を受光すると、強い酸化力を持つヒドロキシルラジカル（ＯＨラジカル）を生成し易い正孔と強い還元力を持つスーパーオキサイドアニオンを生成し易い電子が発生する。ヒドロキシルラジカル、スーパーオキサイドアニオン、正孔、電子等の活性種は、誘引剤６から揮発したアルコールを炭酸ガスと水蒸気に分解する。アナターゼ型酸化チタンでは正孔及び電子が長寿命であるため、活性種を発生し続け、アルコールの分解を促進する。そして、アルコールから分解された炭酸ガス（二酸化炭素）は、誘引源として吸血意欲が高いメスの蚊を誘引することができる。
【００３０】
［中間部ユニット］
中間部ユニット３０は、図４に示すように、胴部カバー３１と、胴部カバー３１の上部収容空間３２に収容される吸引ダクト４１と、吸引ダクト４１のボックス収容空間４５に収容される誘引剤ボックス５１と、胴部カバー３１の下部収容空間３３に収容される吸引ファン装置４０と、を備える。
【００３１】
胴部カバー３１は、略四角筒状を有する樹脂製の外部カバーであり、両側面（図４中、左右側面）の間隔が上部から下部に向けて徐々に狭まる狭窄状に形成されている。胴部カバー３１の前面（図４中、手前側面）には、吸引ダクト４１のボックス収容空間４５に誘引剤ボックス５１を着脱自在とするための切欠き部３４が設けられている。切欠き部３４の下方における前面には、操作スイッチ３５を有するスイッチユニット３６が配設されている。
【００３２】
吸引ダクト４１は、図４及び図５に示すように、誘引剤ボックス５１を着脱自在に収容するための開口を前面に有して画成された略直方体状のボックス収容空間４５と、ボックス収容空間４５の外側に画成された断面略Ｃ字状の吸引路４３と、を有する樹脂製のダクト部材である。
【００３３】
ボックス収容空間４５の上部開口は、隔壁部材２０の中央開口部２１に連通し、吸引路４３の上部開口は、隔壁部材２０の連通路２４に連通している。
また、吸引路４３の下部開口は、胴部カバー３１の下部収容空間３３に収容された吸引ファン装置４０の吸引側に連通している。
吸引ファン装置４０は、円筒状のハブ・ケーシング４６間の環状流路にあるプロペラ４４により空気を圧送し、その回転軸方向下方に風を発生させるファンモーターである。
【００３４】
誘引剤ボックス５１は、図６に示すように、誘引剤カートリッジ６１を収容するための上部開口を有するカートリッジ収容空間５２が画成された有底筒状のボックス本体５３と、ボックス本体５３のカートリッジ収容空間５２に収容される誘引剤カートリッジ６１とを備える。
【００３５】
ボックス本体５３の前面には、上下方向に延びる把持部５８が突設されている。把持部５８の前面には、透明樹脂製の窓部５５が設けられており、誘引剤カートリッジ６１内に収容された誘引剤６の残量が外部から目視できるように構成されている。
把持部５８の下部には、下面から突出させた係止突起（図示せず）を進退動させるロック装置５９が設けられている。ロック装置５９は、スイッチユニット３６の上面に形成された係止穴３７（図４参照）に係止突起が係止されることで、誘引剤ボックス５１の取出しを阻止している。
【００３６】
そして、ロック装置５９の係止突起は、一対の押しボタン５７が押圧操作されることで、上方に移動して係止穴３７との係止が解除される。そこで、一対の押しボタン５７を押圧操作しながら把持部５８を持って誘引剤ボックス５１を手前に引き出すことで、誘引剤ボックス５１を吸引ダクト４１のボックス収容空間４５から取り出すことができる。即ち、このようなロック装置５９が設けられることで、子供のいたずらなどにより誘引剤ボックス５１が誘引捕獲装置１から不用意に取り出されるのを防止することができる。
【００３７】
誘引剤カートリッジ６１は、図６に示すように、上部開口を有する有底矩形筒状のカートリッジ本体６５と、カートリッジ本体６５の上部開口を覆う蓋体６３と、を備えている。
カートリッジ本体６５は、透明な樹脂材により形成されており、誘引剤６が収容されている。蓋体６３には、複数の貫通穴６４が設けられており、誘引剤カートリッジ６１内に収容された誘引剤６から揮発したアルコールや誘引成分が、貫通穴６４から上方の中央開口部２１に向けて拡散される。
【００３８】
本実施形態の誘引剤６は、例えば、リンゴ果汁等の糖分を含む誘引液に日本酒等のエタノール源を配合して吸水性ポリマーに含浸させたものである。そして、糖分を含む誘引成分は、誘引源として食欲を有するオスの蚊や吸血意欲が低いメスの蚊を誘引することができる。また、エタノール源の有機ガスであるアルコールは、揮発して光触媒シート１８に達することで、炭酸ガスと水蒸気に分解される。
【００３９】
なお、本発明に係る誘引剤は、本実施形態の誘引剤６に限るものでなく、少なくとも蚊やコバエなどの飛翔害虫を誘引する誘引成分及びエタノール源を含んで誘引剤カートリッジ６１に収容されるもので、液体状、粒状、ゲル状、ゼリー状、固形状等適宜様々な形状のものを使用することができる。
また、誘引剤の保持担体としては、例えば寒天、カラギーナン、ジェランガム等にて調製されたゲル固体を粉砕したもの（クラッシュゲル等）、そしてスポンジ、海綿体、パルプ、ポリマー等の吸液性を有するもの等が例示される。
そして、飛翔害虫の誘引成分及びエタノール源としては、例えば、紹興酒、ビール、ワイン、アセトイン、黒酢、赤酢、食酢、各種果実エキス、野菜や果実の発酵物、味噌、酵母、蜂蜜、液糖、黒糖、砂糖、各種の植物性又は動物性の食餌等が挙げられる。
【００４０】
［下部ユニット］
下部ユニット７０は、図７に示すように、捕虫部である捕虫ボックス８１と、捕虫ボックス８１を収容する略直方体状のボックス収容空間７４が画成された基台７１と、を備える。
【００４１】
捕虫ボックス８１は、吸引ファン装置４０により吸引された飛翔害虫を収容する有底矩形筒状の容器である。捕虫ボックス８１の前面及び両側面は、通気ネット８３により構成されており、吸引ファン装置４０により吸引された外気を筐体外に排出する排気口とされている。即ち、排気口としての通気ネット８３は、飛翔害虫を通さず、気流のみを排出する微細な開口を有するものであり、金属メッシュやプラスチックメッシュ、或いは不織布などで形成される。
【００４２】
なお、通気ネット８３は、開口が小さすぎると、気流に対する抵抗が大きくなると共に捕獲された飛翔害虫や埃などが容易に閉塞し、吸引ファン装置の吸引力が低下する。また、通気ネット８３の開口が大きすぎると、蚊などの飛翔害虫に容易に逃げられてしまう。従って、通気ネット８３の開口は、捕獲対象となる飛翔害虫の大きさなどに応じて、適宜設定される。
【００４３】
捕虫ボックス８１の前面には、上下方向に延びる把持部８２が突設されている。把持部８２の上部には、上面から突出させた係止突起８７を進退動させるロック装置８８が設けられている。ロック装置８８は、基台７１の天板に形成された係止穴７９に係止突起８７が係止されることで、捕虫ボックス８１の取出しを阻止している。
【００４４】
そして、ロック装置８８の係止突起８７は、一対の押しボタン８５が押圧操作されることで、下方に移動して係止穴７９との係止が解除される。そこで、一対の押しボタン８５を押圧操作しながら把持部８２を持って捕虫ボックス８１を手前に引き出すことで、捕虫ボックス８１を基台７１のボックス収容空間７４から取り出すことができる。即ち、このようなロック装置８８が設けられることで、子供のいたずらなどにより捕虫ボックス８１が誘引捕獲装置１から不用意に取り出されるのを防止することができる。
【００４５】
ところで、本実施形態の誘引捕獲装置１では、捕虫ボックス８１を取り出さない限り、飛翔害虫は外に出られず、吸引ファン装置４０の風に当たり続けるので、乾燥によって殆ど死んでしまう。しかしながら、まれに捕獲した飛翔害虫が捕虫ボックス８１内で死なず、捕虫ボックス８１を取り出した際に逃げ出すことがある。そこで、図７に示したように、捕虫ボックス８１内の底面には、粘着シート９０を敷設してもよい。粘着シート９０は、捕虫ボックス８１内に捕獲した飛翔害虫を粘着シート９０に粘着することができる。即ち、捕獲した飛翔害虫が粘着シート９０に粘着されることで、捕獲された飛翔害虫が捕虫ボックス８１の開閉時に逃げ出すことを防ぐことができ、誘引捕獲装置１の捕獲力を高めることができる。
【００４６】
基台７１は、底部に電源ユニット７５が設けられ、前面及び両側面には捕虫ボックス８１の通気ネット８３が露呈する窓開口７３が形成されている。電源ユニット７５は、紫外線照射部１５の紫外線ＬＥＤ１６や吸引ファン装置４０に電力を供給し、これらを駆動する。電源ユニット７５から引き出された電源コード７７は、居室内のコンセントに接続される。
基台７１の天板には、一体成形された格子の格子間の開口により通気口７２が形成されている。通気口７２は、基台７１の上方に配置される吸引ファン装置４０の排出側に連通する。
【００４７】
次に、上記した本実施形態に係る誘引捕獲装置１の構成の作用を説明する。
本実施形態に係る誘引捕獲装置１を作動させると、中間部ユニット３０内の吸引ファン装置４０のプロペラ４４が回転すると共に、紫外線照射部１５の紫外線ＬＥＤ１６が点灯する。
プロペラ４４が回転すると、図８の矢印（Ｘ１）によって示されるように、上部ユニット１０のファン吸気部１３から連通路２４を介して、外気が吸引ダクト４１の吸引路４３に吸引される。吸引ファン装置４０により吸引された外気は、捕虫ボックス８１の通気ネット８３から下部ユニット７０外へ排出される。
【００４８】
誘引剤カートリッジ６１内に収容された誘引剤６から揮発した有機ガスであるアルコールや誘引成分は、図８の矢印（Ｙ１）によって示されるように、蓋体６３の貫通穴６４から上方の上部ユニット１０における隔壁部材２０の中央開口部２１に向けて予め拡散する。そこで、誘引源である誘引剤６の誘引成分は、収容空間７における誘引剤カートリッジ６１の上方部（Ｓ）に滞留する。
【００４９】
紫外線ＬＥＤ１６が点灯した二酸化炭素発生装置５は、誘引剤６から揮発したアルコールを分解して炭酸ガスを発生させる。従って、誘引源である二酸化炭素発生装置５が発生した炭酸ガスも、収容空間７における誘引剤カートリッジ６１の上方部（Ｓ）に滞留する。
【００５０】
図１〜図３に示したように、外気を吸引する一対のファン吸気部１３は、連通路２３を介して収容空間７に連通する第２開口部１４の両側に隣接して形成されている。そこで、ファン吸気部１３の吸引に伴って第２開口部１４の近傍に生じる気流によって、図９の矢印（Ｘ２）によって示されるように、上部ユニット１０の第２開口部１４から連通路２３を介して、外気が収容空間７に流入する。
【００５１】
第２開口部１４から連通路２３を介して収容空間７に流入した外気は、誘引剤カートリッジ６１の上方部（Ｓ）周辺で滞留し、図８の矢印（Ｚ１）によって示されるように、炭酸ガス及び誘引剤６の誘引成分が放出路２２を介して第１開口部１２に押し出される。そこで、第１開口部１２から筐体３の外方に放出された炭酸ガス及び誘引剤６の誘引成分は、第１開口部１２の近傍における近傍部（Ｔ）に滞留することができる。
【００５２】
そして、第１開口部１２の近傍における近傍部分（Ｔ）に滞留する炭酸ガス及び誘引剤６の誘引成分は、図９の矢印（Ｘ３）によって示されるように、一部が近傍に位置するファン吸気部１３に吸引され、一部が第２開口部１４に流入する。外気と共に吸引された誘引成分の一部は、吸引ファン装置４０の排気流によって捕虫ボックス８１の通気ネット８３から排出されて筐体３の外方に拡散する。
【００５３】
即ち、本実施形態に係る飛翔害虫の誘引捕獲装置１によれば、捕虫ボックス８１の通気ネット８３から排出されて拡散した炭酸ガス及び誘引剤６の誘引成分によって、遠くにいる蚊などの飛翔害虫が誘引捕獲装置１に呼び寄せられる。
そして、第１開口部１２の近傍における近傍部（Ｔ）に滞留させた高濃度の誘引成分によって、飛翔害虫はファン吸気部１３まで引き寄せられ、ファン吸気部１３に吸引される。ファン吸気部１３に吸引された飛翔害虫は、捕虫ボックス８１に捕獲される。従って、飛翔害虫を高効率で捕獲することができる。
【００５４】
また、本実施形態に係る飛翔害虫の誘引捕獲装置１では、第１開口部１２が、筐体３における上部カバー１１の上面部１１ａに形成され、第２開口部１４及びファン吸気部１３が、筐体３の側面部である上部ユニット１０の長手方向両端に形成されている。
そこで、上部カバー１１の上面部１１ａに形成された第１開口部１２から放出された炭酸ガス及び誘引剤６の誘引成分は、上部カバー１１の上面部１１ａに沿って流れて側面部に形成された第２開口部１４に流入することで、ファン吸気部１３付近に良好に滞留することができる。
【００５５】
また、本実施形態に係る飛翔害虫の誘引捕獲装置１では、飛翔害虫を誘引する誘引源が、誘引剤６及び二酸化炭素発生装置５を有している。
そこで、例えば、誘引剤６の糖分を含む誘引成分によって食欲を有するオスの蚊や吸血意欲が低いメスの蚊を誘引し、二酸化炭素発生装置５が発生する二酸化炭素によって吸血意欲が高いメスの蚊を誘引することで、より多くの蚊を確実に誘引することができる。なお、本発明の誘引捕獲装置１は、必ずしも複数の誘引源を必要とするものではなく、誘引剤６又は二酸化炭素発生装置５の少なくとも一方の誘引源を有するものでもよい。
【００５６】
また、本実施形態に係る飛翔害虫の誘引捕獲装置１では、二酸化炭素発生装置５が、有機ガスを発生する誘引剤６と、紫外線を照射する紫外線照射部１５と、紫外線を受光し、有機ガスを分解して炭酸ガスを発生させる光触媒部である光触媒シート１８と、を有する。
そこで、例えば、有機ガスを分解して炭酸ガスを発生させる効率が非常に高いアナターゼ型酸化チタン光触媒を使用することで、炭酸ガスを高効率で発生させることができ、蚊の捕集効率が高い誘引捕獲装置１を提供できる。勿論、本発明の二酸化炭素発生装置は、本実施形態の二酸化炭素発生装置５に限らず、公知の種々の二酸化炭素発生装置を用いることができる。
【００５７】
また、本実施形態に係る飛翔害虫の誘引捕獲装置１では、捕虫ボックス８１が、吸引ファン装置４０により吸引された飛翔害虫を粘着する粘着シート９０を有してもよい。
そこで、捕虫ボックス８１に捕獲した飛翔害虫を粘着シート９０に粘着することで、飛翔害虫を効率的に確実に駆除することができる。
【００５８】
従って、本実施形態に係る飛翔害虫の誘引捕獲装置１によれば、飛翔害虫の捕獲効率を向上させた良好な誘引捕獲装置を提供できる。
【００５９】
ここで、上述した本発明に係る飛翔害虫の誘引捕獲装置の実施形態の特徴をそれぞれ以下に簡潔に纏めて列記する。
［１］  筐体（３）と、
前記筐体（３）内に収容された誘引源（二酸化炭素発生装置５、誘引剤６）と、
前記筐体（３）に形成され、前記誘引源（二酸化炭素発生装置５、誘引剤６）に連通し、前記誘引源（二酸化炭素発生装置５、誘引剤６）の誘引成分を前記筐体（３）の外方に放出する第１開口部（１２）と、
前記誘引源（二酸化炭素発生装置５、誘引剤６）に連通し、前記第１開口部（１２）の近傍に形成された第２開口部（１４）と、
前記第２開口部（１４）に隣接し、前記筐体（３）内に収容された吸引ファン装置（４０）により外気を吸気するファン吸気部（１３）と、
前記吸引ファン装置（４０）により吸引された外気を前記筐体（３）外に排出する排気口（通気ネット８３）を有する捕虫部（捕虫ボックス８１）と、を備えた飛翔害虫の誘引捕獲装置（１）。
［２］  上記［１］に記載の飛翔害虫の誘引捕獲装置であって、
前記第１開口部（１２）が、前記筐体（３）の上面部（１１ａ）に形成され、前記第２開口部（１４）及び前記ファン吸気部（１３）が、前記筐体（３）の側面部に形成された飛翔害虫の誘引捕獲装置（１）。
［３］  上記［１］又は［２］に記載の飛翔害虫の誘引捕獲装置であって、
前記誘引源が、誘引剤（６）及び二酸化炭素発生装置（５）を有する飛翔害虫の誘引捕獲装置（１）。
【００６０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６１】
また、本出願は、２０１８年５月１８日出願の日本特許出願（特願２０１８−０９６１５５）に基づくものであり、その内容はここに参照として取り込まれる。
【産業上の利用可能性】
【００６２】
本発明の飛翔害虫の誘引捕獲装置によれば、吸引ファン装置を用いながら飛翔害虫の捕獲効率を向上させることができる。
【符号の説明】
【００６３】
１…飛翔害虫の誘引捕獲装置
３…筐体
５…二酸化炭素発生装置（誘引源）
６…誘引剤（誘引源、有機ガス供給部）
１２…第１開口部
１３…ファン吸気部
１４…第２開口部
４０…吸引ファン装置
８１…捕虫ボックス（捕虫部）
８３…通気ネット（排気口）
【図１】
2019221014.tif 000003
【図２】
2019221014.tif 000004
【図３】
2019221014.tif 000005
【図４】
2019221014.tif 000006
【図５】
2019221014.tif 000007
【図６】
2019221014.tif 000008
【図７】
2019221014.tif 000009
【図８】
2019221014.tif 000010
【図９】
2019221014.tif 000011
【国際調査報告】
2019221014.tif 000012
2019221014.tif 000013